(57)【特許請求の範囲】
【請求項１】
着用者の肌対向面側に位置する表面シートと、非肌対向面側に位置する裏面シートと、両シート間に介在する吸収体とを具備し、装着状態において着用者の股下に位置する股下部と、該股下部の前後から延びる腹側部及び背側部とを有し、背側部の左右の側部域に止着用のファスニングテープを備え、腹側部の外面に該ファスニングテープが止着されるターゲットテープを備えた使い捨ておむつにおいて、
前記吸収体は、前記ターゲットテープと重なる領域に、該吸収体の幅方向にわたって連続に又は不連続に形成された１個又は２個以上の凹部を有し、該凹部は、その存在が、おむつの裏面シート側の外面から、触覚によって知覚可能になっており、
前記凹部が、複数の小凹部の集合体から構成されており、
前記凹部は、その全体として、前記ターゲットテープの縦中心線に対して線対称形となるように、かつ該ターゲットテープの横中心線に対して非対称形となるように形成されている、使い捨ておむつ。
【請求項２】
２個以上の前記凹部が、ターケットテープの横方向にわたって不連続に形成されている請求項１に記載の使い捨ておむつ。
【請求項３】
前記ターゲットテープの横方向に延び、かつ該ターケットテープの縦方向に向けて頂部を有するアーチ形状の凹部が少なくとも一個形成されている請求項１又は２に記載の使い捨ておむつ。
【請求項４】
前記アーチ形状の凹部が２個以上形成されており、各アーチ形状の凹部は、前記ターゲットテープの横方向にわたって配置されており、かつ該ターケットテープの縦方向の同方向に向けて頂部を有するように配置されている請求項３に記載の使い捨ておむつ。
【請求項５】
前記アーチ形状の凹部が３個形成されており、各アーチ形状の凹部は、前記ターゲットテープの横方向にわたって配置されており、かつ３個のアーチ形状の凹部のうち、中央のアーチ形状の凹部の頂部が向く方向と、左右のアーチ形状の凹部の頂部が向く方向とが１８０度逆になるように各アーチ形状の凹部が配置されている請求項３に記載の使い捨ておむつ。
【請求項６】
前記アーチ形状の凹部の端部どうしが結合して、前記ターゲットテープの横方向に延びる曲線形状の凹部をなしている請求項４又は５に記載の使い捨ておむつ。
【請求項７】
前記凹部は、前記ターゲットテープの縦中心線から左右側方に向かうに連れて、左右対称に凹部深さが変化している請求項１ないし６のいずれか一項に記載の使い捨ておむつ。
【発明の詳細な説明】
【技術分野】
【０００１】
本発明は、ファスニングテープをターゲットテープに止着することで装着するタイプの使い捨ておむつに関する。
【背景技術】
【０００２】
おむつの背側部に設けられた左右のファスニングテープを、腹側の外面に設けられたターゲットテープに止着することで装着するタイプの使い捨ておむつ、すなわち、いわゆるテープ止めタイプのおむつにおいては、ファスニングテープを止着したときの左右のバランスが崩れてしまうと、それに起因して液漏れが起こりやすくなる傾向にある。そこで、左右のファスニングテープの止着位置をバランスさせることを目的として、例えばターゲットテープに止着位置の目安となる表示を施し、視覚的に止着位置を認識する技術が種々提案されている。例えば、特許文献１には、ターゲットテープをおむつの外面に熱融着によって接合し、熱融着による接合パターンを、ファスニングテープの止着位置の目印とすることが記載されている。
【０００３】
しかし、視覚的に止着位置を認識する手段を設けただけでは、夜間等の暗所でおむつを交換する場合や、視覚障害を有する人がおむつを交換する場合に不都合が生じる。
【０００４】
ところで、前記の技術とは別に、特許文献２ないし４には、おむつの吸収体における外方を向く側の面に、エンボス加工によって凹凸を設けたり、吸収体に薄肉部を形成することで凹凸を設けたりすることが記載されている。しかしこの凹凸は、吸収体のフィット性や吸収性の向上の目的で、また排泄物の有無や拡がりを外部から視認できるようにする目的で設けられており、ファスニングテープの止着位置の目安となるものではない。
【先行技術文献】
【特許文献】
【０００５】
【特許文献１】特開２００７−３０７２１０号公報
【特許文献２】特開平１０−１４６３５９号公報
【特許文献３】特開２００５−１５２２４１号公報
【特許文献４】特開２０１１−１１５２４５号公報
【発明の概要】
【発明が解決しようとする課題】
【０００６】
したがって本発明の課題は、前述した従来技術が有する欠点を解消し得る使い捨ておむつを提供することにある。
【課題を解決するための手段】
【０００７】
本発明は、着用者の肌対向面側に位置する表面シートと、非肌対向面側に位置する裏面シートと、両シート間に介在する吸収体とを具備し、装着状態において着用者の股下に位置する股下部と、該股下部の前後から延びる腹側部及び背側部とを有し、背側部の左右の側部域に止着用のファスニングテープを備え、腹側部の外面に該ファスニングテープが止着されるターゲットテープを備えた使い捨ておむつにおいて、
前記吸収体は、前記ターゲットテープと重なる領域に、該吸収体の幅方向にわたって連続に又は不連続に形成された１個又は２個以上の凹部を有し、該凹部は、その存在が、おむつの裏面シート側の外面から、触覚によって知覚可能になっており、
前記凹部は、その全体として、前記ターゲットテープの縦中心線に対して線対称形となるように、かつ該ターゲットテープの横中心線に対して非対称形となるように形成されている、使い捨ておむつを提供するものである。
【発明の効果】
【０００８】
本発明の吸収性物品によれば、吸収体上に位置するターゲットテープに触れることで、ファスニングテープを左右対称に止着する位置を容易に認識することができる。したがって視覚によらず、ファスニングテープを左右対称に止着することができるので、暗所でのおむつの交換や視覚障害を有する人のおむつ交換が容易に行える。
【図面の簡単な説明】
【０００９】
【図１】図１（ａ）は、本発明の使い捨ておむつの一実施形態を、表面シート側からみた平面図であり、図１（ｂ）は、図１（ａ）に示すおむつを、裏面シートを一部破断して、裏面シート側からみた平面図である。
【図２】図２（ａ）及び（ｂ）は、本発明の使い捨ておむつの別の実施形態の要部を示す模式図である。
【図３】図３は、本発明の使い捨ておむつの別の実施形態の要部を示す模式図である。
【図４】図４（ａ）ないし（ｃ）は、本発明の使い捨ておむつの別の実施形態の要部を示す模式図である。
【図５】図５は、本発明の使い捨ておむつの別の実施形態の要部を示す模式図である。
【図６】図６は、本発明の使い捨ておむつの別の実施形態の要部を示す模式図である。
【図７】図７は、本発明の使い捨ておむつの別の実施形態の要部を示す模式図である。
【図８】図８は、本発明の使い捨ておむつの別の実施形態の要部を示す模式図である。
【図９】図９（ａ）及び（ｂ）は、本発明の使い捨ておむつの別の実施形態の要部を示す模式図である。
【図１０】図１０は、本発明の使い捨ておむつの別の実施形態の要部を示す模式図である。
【発明を実施するための形態】
【００１０】
以下本発明を、その好ましい実施形態に基づき図面を参照しながら説明する。図１（ａ）及び（ｂ）には、本発明の使い捨ておむつの一実施形態の平面図が示されている。図１（ａ）は、おむつ１を表面シート側からみた状態であり、図１（ｂ）は、裏面シートを一部破断して、おむつ１を裏面シート側からみた状態である。
【００１１】
図１（ａ）及び（ｂ）に示すおむつ１は、いわゆるテープ止めタイプのものである。おむつ１は、長手方向Ｘ及び幅方向Ｙを有する縦長の形状のものであり、着用者の肌対向面側に位置する表面シート１０、及び非肌対向面側に位置する裏面シート２０を有している。表面シート１０と裏面シート２０との間には液保持性の吸収体３０が配置されている。表面シート１０及び裏面シート２０は、吸収体３０の周縁から外方に延出している。
【００１２】
表面シート１０、裏面シート２０及び吸収体３０としては、この種のおむつに従来用いられていたものと同様のものを用いることができる。表面シート１０としては、例えば不織布や穿孔フィルムなどの液透過性のシート材を用いることができる。裏面シートとしては、合成樹脂製のフィルム等や、スパンボンド−メルトブローン−スパンボンド不織布（ＳＭＳ不織布）等の撥水性のシート材料を用いることができる。合成樹脂製のフィルムを微多孔質フィルムから構成して、水蒸気透過性を付与してもよい。また微多孔質フィルムの外面に不織布等の通気性シートを積層した複合シートを裏面シートとして用いてもよい。吸収体３０としては、液保持性の繊維材料の積繊体や、該繊維材料と高吸収性ポリマーの混合物の積繊体を用いることができる。この積繊体はその全体を、ティッシュペーパー等の液透過性シートで包んでもよい。
【００１３】
おむつ１における表面シート側の左右両側部には、長手方向Ｘに延びるサイドシート１１が配置されている。サイドシート１１は、不織布等の撥水性を有するシート材から構成することができる。サイドシート１１は、表面シート１０の一部を覆うように、該表面シート１０の上に配置されている。各サイドシート１１の側縁のうち、幅方向Ｙの外方側の側縁は裏面シート２０と固定されている。一方、各サイドシート１１の側縁のうち、幅方向Ｙの内方側の側縁は自由端となっている。この自由端には、糸ゴム等の弾性部材１２が伸長状態で固定されている。それによって、サイドシート１１が起立して防漏カフが形成される。
【００１４】
おむつ１は、その着用状態において、着用者の股下に位置する股下部Ｃと、股下部Ｃの前後から延びる腹側部Ａ及び背側部Ｂとを有している。股下部Ｃには、吸収体３０の左右両側縁から側方に延出し、かつ長手方向Ｘに延びる伸縮性のレッグカフ１３が設けられている。レッグカフ１３は、サイドシート１１及び裏面シート２０の間に、糸ゴム等の弾性部材１４が伸長状態で固定されて形成されている。
【００１５】
おむつ１の背側部Ｂには、吸収体３０の左右両側縁から側方に延出したサイドフラップ１５が設けられている。サイドフラップ１５は、サイドシート１１と裏面シート２０とを接合して形成されている。サイドシート１１と裏面シート２０との間に弾性部材（図示せず）を伸長状態で配置して、サイドフラップ１５を、幅方向Ｙに伸縮可能にしてもよい。あるいは、サイドシート１１と裏面シート２０とからサイドフラップを形成することに代えて、別材のシートで伸縮性のサイドフラップを作製し、これをおむつ１の背側部Ｂに取り付けてもよい。
【００１６】
サイドフラップ１５には、幅方向Ｙの外方側の側縁に、ファスニングテープ４０が取り付けられている。ファスニングテープ４０は、基材シート４１と、該基材シート４１における表面シート１０と同じ側を向く面上に設けられた止着部４２とを有している。止着部４２としては、この種のおむつに従来用いられていたものと同様のものを用いることができる。例えば面ファスナのフック部材や、粘着剤等を用いることができる。
【００１７】
おむつ１の腹側部Ａには、おむつ１の外面にターゲットテープ５０が取り付けられている。ターゲットテープ５０は横長の矩形のものであり、おむつ１の長手方向Ｘと同方向である縦方向、及びおむつ１の幅方向Ｙと同方向である横方向を有している。ターゲットテープ５０は、上述したファスニングテープ４０における止着部４２の材質に応じ、適切な材質のものが選択される。止着部４２が例えば面ファスナのフック部材である場合、ターゲットテープ５０としては、該フック部材と係合可能な繊維シート、例えば編み物地や不織布などが用いられる。ファスニングテープ４０の止着部４２が粘着剤からなる場合には、ターゲットテープ５０として合成樹脂製の平滑なフィルム等を用いることができる。
【００１８】
本発明のおむつは、吸収体に特徴の一つを有している。詳細には、吸収体は、おむつを平面視したときに、ターゲットテープと重なる領域に、１個又は２個以上の凹部を有している。該凹部は、その存在が、おむつの裏面シート側の外面から、触覚によって知覚可能になっている。つまり、おむつの外面から凹部が形成されている領域に手で触れた場合、該凹部がそこに形成されていることが知覚されるように、該凹部が形成されている。凹部は、一般には、吸収体における非肌対向面側の表面、すなわち裏面シートに対向する側の表面に形成されている。このような知覚を可能にするためには、例えば凹部の形成深さを２〜１０ｍｍ程度に設定すればよい。このような深さの凹部を形成するには、例えば吸収体にエンボス加工を施して吸収体を部分的に圧密化すればよい。あるいは、液保持性の繊維材料を積繊して吸収体を製造するときに、凹部となるべき部分を薄肉に形成すればよい。
【００１９】
凹凸感を一層顕著に知覚する観点からは、吸収体をエンボス加工することによって凹部を形成することが有利である。エンボス加工によって凹部を形成する場合、吸収体における非肌対向面側の表面から押圧を行ってもよく、あるいは肌対向面側の表面から押圧を行ってもよい。吸収体の肌対向面側の表面から押圧を行った場合、押圧した部位だけでなく、押圧した部位に対応する非肌対向面側の表面にも凹部が形成されることは、当該技術分野においてよく知られた事実である。
【００２０】
特に、吸収体の一方の面側に表面シートを配し、他方の面側に裏面シートを配した状態下に、表面シート側から該表面シートを介してエンボス加工による押圧を行い、非肌対向面側の表面にも凹部を形成すると、該凹部がそこに形成されていることが一層知覚されやすくなるので好ましい。裏面シート側から該裏面シートを介し、吸収体に対してエンボス加工による押圧を行うことも可能であるが、その場合には、裏面シートにピンホール等の欠陥が生じないように注意する必要がある。
【００２１】
吸収体が凹部を１個のみ有している場合には、該凹部は、ターゲットテープの横方向にわたって延びるように連続して形成されている。吸収体が凹部を複数個有している場合には、複数の該凹部はターゲットテープの横方向にわたって不連続に形成されている。つまり、複数の該凹部を連ねた仮想線を考えた場合、該仮想線がターゲットテープの横方向に延びるように、各凹部が配置されている。
【００２２】
吸収体が凹部を１個のみ有しているか、それとも複数個有しているかにかかわらず、該凹部は、その全体として、ターゲットテープの縦中心線に対して線対称形となるように形成されている。これに加えて、該凹部は、その全体として、ターゲットテープの横中心線に対して非対称形となるように形成されている。詳細には、次のとおりである。吸収体が凹部を１個のみ有している場合には、１個の該凹部が、ターゲットテープの縦中心線に対して線対称形となるように、かつターゲットテープの横中心線に対して非対称形となるように形成される。吸収体が凹部を複数個有している場合には、各凹部の形状と、複数個の該凹部の全体で構成される配置パターンとからなる凹部デザインに着目したときに、該凹部デザインが、ターゲットテープの縦中心線に対して線対称形となっており、かつターゲットテープの横中心線に対して非対称形になっている。要するに「全体として」とは、吸収体が凹部を１個のみ有している場合には、該凹部の形状全体のことを意味する。吸収体が凹部を複数個有している場合には、各凹部の形状と、複数個の該凹部の全体で構成される配置パターンとからなる凹部デザインのことを意味する。
【００２３】
吸収体の非肌対向面側における表面に、外面から触覚によって知覚可能な凹部を上述の形状となるように形成することで、視覚によらずとも、ファスニングテープをターゲットテープ上に左右対称に止着することができるという利点がある。詳細には、凹部は、ターゲットテープの縦中心線に対して線対称形となるように形成されているので、両方の手の指を使って、ターゲットテープの左右の側縁から縦中心線に向けて凹部をなぞることで、ターゲットテープの縦中心線の位置を指で容易に探り当てることができる。また、凹部は、ターゲットテープの横中心線に対して非対称形に形成されているので、指で探り当てたターゲットテープの縦中心線の位置から、ターゲットテープの左右の側縁に向けて、凹部を両方の手の指でなぞることで、縦中心線に対して左右対称な位置を指で容易に探り当てることができる。この位置を目標にして、ファスニングテープをターゲットテープに止着することで、ファスニングテープを左右対称に止着することが可能になる。このように、本発明によれば、暗所でのおむつの交換や視覚障害を有する人のおむつ交換を容易に行うことができる。
【００２４】
ターゲットテープを、吸収体のうち、凹部が形成された部位に確実に位置合わせするために、例えば次に述べる方法を採用することができる。凹部の形成にはエンボス加工を用いる。エンボス加工によって形成された凹部は、押圧に起因する圧密化によって、他の部位よりも光透過率が高くなっている。この光透過率を利用して位置合わせを行う。この目的のために、裏面シートに位置合わせマークを形成する。位置合わせマークは例えば印刷によって形成することができる。吸収体の一方の面に裏面シートを重ね合わせるときに、該吸収体の光透過率を公知の光学的手段によってセンシングし、光透過率の高い部位と、裏面シートに形成された位置合わせマークとが一致するように、両者を重ね合わせる。次に、ターゲットテープを、裏面シートに形成された位置合わせマークを目安として該裏面シートの外面に重ね合わせる。このような方法を採用することによって、ターゲットテープを、吸収体のうち凹部が形成された部位に確実に位置合わせすることができる。
【００２５】
図１に示す実施形態のおむつ１においては、吸収体３０の非肌当接面側の表面に、４個の凹部３１ａ，３１ｂ，３１ｃ，３１ｄが形成されている。凹部３１ａ，３１ｄは同寸・同形をしている。凹部３１ｂ，３１ｃは、凹部３１ａ，３１ｄと異なる同寸・同形をしている。４つの凹部はいずれも楕円形をしており、その長軸が、おむつ１の長手方向Ｘと一致している。凹部３１ａ，３１ｄと、凹部３１ｂ，３１ｃとは相似形である。４個の凹部を連ねた仮想線ＩLを考えた場合、該仮想線ＩLはターゲットテープ５０の横方向に延びるアーチ形状の曲線を描く。このアーチ形状の曲線からなる仮想線ＩLは、アーチの頂部が、おむつ１の腹側部Ａの端縁側を向いている。各凹部の形状と、４個の凹部の全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。凹部３１ａ，３１ｄは、縦中心線ＬVに対して線対称の位置にある。同様に、凹部３１ｂ，３１ｃも、縦中心線ＬVに対して線対称の位置にある。
【００２６】
本実施形態のおむつ１を装着するときには、両方の手の指を使って、ターゲットテープ５０の左右の側縁から縦中心線ＬVに向け、仮想線ＩLに沿って凹部を順次なぞることで、縦中心線ＬVの位置を指で容易に探り当てることができる。次に、指で探り当てた縦中心線ＬVの位置から、ターゲットテープ５０の左右の側縁に向け、仮想線ＩLに沿って凹部を両方の手の指でなぞることで、縦中心線ＬVに対して左右対称な位置を指で容易に探り当てることができる。
【００２７】
特に、本実施形態においては、凹部３１ａ，３１ｄと、凹部３１ｂ，３１ｃとで大きさが相違しているので、縦中心線ＬVに対して左右対称な位置を一層容易に探し当てやすい。これを一層容易にする観点から、凹部の深さを、縦中心線ＬVから左右側方に向かうに連れて、左右対称に変化させてもよい。例えば縦中心線ＬV寄りに位置する凹部３１ｂ，３１ｃを相対的に浅く形成し、かつ左右両側縁寄りに位置する凹部３１ａ，３１ｄを相対的に深く形成することができる。あるいは、この逆に、凹部３１ｂ，３１ｃを相対的に深く形成し、かつ凹部３１ａ，３１ｄを相対的に浅く形成してもよい。
【００２８】
凹部の形状及び複数個の凹部の全体で構成される配置パターンが、図１と異なる実施形態のおむつが図２〜図１０に示されている。これらの図に示す実施形態に関し、先に述べた実施形態と共通する事項については、先に述べた実施形態の説明が適用される。したがって、先に述べた実施形態と共通する事項の説明は省略する。図２（ａ）及び（ｂ）に示す実施形態も、図１に示す実施形態と同様に、複数の凹部を有している。図２（ａ）においては、互いに同形の楕円形をした６個の凹部３１ａ〜３１ｆが、ターケットテープ５０の横方向にわたって不連続に形成されている。楕円形をした各凹部３１ａ〜３１ｆの中心を滑らかに連ねて形成される仮想線（図示せず）は、ターゲットテープ５０の横方向に延びる緩やかなアーチ形状の曲線を描く。また、各凹部３１ａ〜３１ｆは、その長軸の傾きが相違しており、かつその傾きが、縦中心線ＬVに対して線対称となっている。その結果、各凹部３１ａ〜３１ｆの形状と、６個の凹部３１ａ〜３１ｆの全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００２９】
図２（ｂ）においては、互いに同形の楕円形をした７個の凹部３１ａ〜３１ｇが、ターケットテープ５０の横方向にわたって不連続に形成されている。楕円形をした各凹部３１ａ〜３１ｇの中心を滑らかに連ねて形成される仮想線（図示せず）は、ターゲットテープ５０の横方向に延びるアーチ形状の曲線を描く。各凹部３１ａ〜３１ｇは、その長軸の方向が、おむつ１の長手方向と一致している。５個の凹部３１ａ〜３１ｇのうち、中央にある凹部３１ｄは、その長軸が、縦中心線ＬV上に位置するように配置されている。かつ各凹部３１ａ〜３１ｇは縦中心線ＬVに対して線対称となるように配置されている。その結果、７個の凹部３１ａ〜３１ｇの全体で構成される配置パターンからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００３０】
図３に示す実施形態においては、略十字形をした同寸・同形の凹部３１ａ〜３１ｃが形成されている。各凹部３１ａ〜３１ｃは、略十字形の縦軸方向及び横軸方向が、おむつの長手方向及び幅方向と一致するように配置されている。３つの凹部３１ａ〜３１ｃのうち、中央の凹部３１ｂは、その縦軸と横軸の交点が、ターゲットテープの横中心線ＬHよりも、おむつの前端部側に偏倚している。かつ凹部３１ｂは、その縦軸が、ターゲットテープの縦中心線ＬV上に位置している。凹部３１ｂを挟む左右の凹部３１ａ，３１ｃは、その縦軸と横軸の交点が、横中心線ＬHよりもおむつの股下部側に偏倚している。各凹部３１ａ〜３１ｃにおける縦軸と横軸の交点を滑らかに連ねて形成される仮想線（図示せず）は、ターゲットテープ５０の横方向に延びる緩やかなアーチ形状の曲線を描く。かつ各凹部３１ａ〜３１ｃは縦中心線ＬVに対して線対称となるように配置されている。その結果、３個の凹部３１ａ〜３１ｃの全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００３１】
図４（ａ）ないし（ｃ）に示す実施形態における凹部は、複数のアーチ形状の曲線部位の組み合わせから構成された単一のものである。図４（ａ）に示す実施形態では、３個の曲線部位３１ａ〜３１ｃの端部どうしが結合して、ターゲットテープ５０の横方向に延びる波形の曲線形状をなす１本の凹部３１が形成されている。そして凹部３１は、ターゲットテープ５０の縦中心線ＬVに対して線対称の形状になっている。アーチ形状をなす各曲線部位３１ａ〜３１ｃはいずれも、ターゲットテープ５０の縦方向の同方向に向けて頂部を有するように配置されている。具体的には、おむつの腹側部の端部側に向けて頂部を有するように配置されている。３個の曲線部位３１ａ〜３１ｃのうち、中央に位置する曲線部位３１ｂは、ターゲットテープ５０の横中心線ＬHよりも、おむつの前端部側に偏倚している。曲線部位３１ｂを挟む左右の曲線部位３１ａ，３１ｃは、横中心線ＬHよりもおむつの股下部側に偏倚している。
【００３２】
図４（ｂ）に示す実施形態では、２個の曲線部位３１ａ，３１ｂの一方の端部どうしが結合して、ターゲットテープ５０の横方向に延びる波形の曲線形状をなす１本の凹部３１が形成されている。２個の曲線部位３１ａ，３１ｂの結合部は、ターゲットテープ５０の縦中心線ＬV上であって、かつ横中心線ＬHよりもおむつの腹側部の端部側に偏倚して位置している。凹部３１の各端部は、横中心線ＬHよりもおむつの股下部側に偏倚して位置している。そして凹部３１は、ターゲットテープ５０の縦中心線ＬVに対して線対称の形状になっている。各曲線部位３１ａ，３１ｂはいずれも、おむつの腹側部の端部側に向けて頂部を有するように配置されている。
【００３３】
図４（ｃ）に示す実施形態も、図４（ｂ）に示す実施形態と同様に、２個の曲線部位３１ａ，３１ｂの一方の端部どうしが結合して、ターゲットテープ５０の横方向に延びる波形の曲線形状をなす１本の凹部３１が形成されている。ただし、図４（ｂ）に示す実施形態と異なり、各曲線部位３１ａ，３１ｂはいずれも、おむつの股下部側に向けて頂部を有するように配置されている。それ以外の点については、図４（ｂ）に示す実施形態と同様である。
【００３４】
このように、図４（ａ）ないし（ｃ）に示す実施形態では、ターゲットテープ５０の横方向に延びる１本の凹部３１が、ターゲットテープ５０の縦中心線ＬVに対して線対称形となっている。かつターゲットテープ５０の横中心線ＬHに対して非対称形となっている。特に図４（ａ）に示す実施形態においては、中央に位置する曲線部位３１ｂと、その左右に位置する曲線部位３１，３１ｃとの結合点において、曲線の曲がる向きが急激に変化しているので、該結合点の位置を指で探り当てやすい。したがってファスニングテープを左右対称に止着することが一層容易になる。
【００３５】
図５に示す実施形態の凹部も、図４（ａ）ないし（ｃ）に示す実施形態と同様に、アーチ形状の複数の曲線部位３１ａ〜３１ｃの端部どうしが結合して、ターゲットテープ５０の横方向に延びる波形の曲線形状をなす１本の凹部３１が形成されている。ただし、本実施形態が図４（ａ）ないし（ｃ）に示す実施形態と異なる点は、各曲線部位３１ａ〜３１ｃの頂部の向く方向である。詳細には、３個のアーチ形状の曲線部位３１ａ〜３１ｃのうち、中央のアーチ形状の曲線部位３１ｂの頂部が向く方向と、左右のアーチ形状の曲線部位３１ａ，３１ｃの頂部が向く方向とが１８０度逆になるように各アーチ形状の曲線部位が配置されている。中央の曲線部位３１ｂの頂部は、おむつの腹側部の端部側を向いている。左右の曲線部位３１ａ，３１ｃの頂部は、おむつの股下部側を向いている。そして、中央の曲線部位３１ｂの頂部は、ターゲットテープ５０の横中心線ＬHよりも、おむつの前端側に偏倚している。中央の曲線部位３１ｂの端部と、左右の曲線部位３１ａ，３１ｃの端部との結合部は、横中心線ＬHよりも、おむつの股下部側に偏倚している。同様に、凹部３１の各端部も、横中心線ＬHよりも、おむつの股下部側に偏倚している。このような形状を有する凹部３１は、ターゲットテープ５０の縦中心線ＬVに対して線対称形となっている。かつターゲットテープ５０の横中心線ＬHに対して非対称形となっている。本実施形態においては、左右に位置する曲線部位３１，３１ｃの頂部を境に曲線の向きが変化しているので、該頂点の位置を指で探り当てやすい。したがってファスニングテープを左右対称に止着することが一層容易になる。
【００３６】
図６に示す実施形態では、ターゲットテープ５０の縦中心線ＬVを挟んで線対称の位置に、一対の波形曲線状の凹部３１，３１が形成されている。各凹部３１は、ターゲットテープ５０の横方向に延びている。各凹部３１は、いずれも３個の同寸・同形のアーチ形状の曲線部位３１ａ〜３１ｃの端部どうしが結合したものからなる。これらの曲線部位３１ａ〜３１ｃが結合してなる凹部３１は、その２つの端部のうち、縦中心線ＬV寄りに位置する端部が、おむつの股下部側に変位しており、かつターゲットテープ５０の側縁寄りに位置する端部が、おむつの腹側部の端部側に偏倚している。その結果、各凹部３１は、ターゲットテープ５０の縦中心線ＬVから、側縁側に向けて傾斜した状態になっている。したがって、各凹部３１の形状と、２個の凹部３１の全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００３７】
図７に示す実施形態では、図４ないし図６に示す実施形態と同様に、アーチ形状の曲線部位を有する凹部３１が形成されている。ただし、本実施形態は、図４ないし図６に示す実施形態と異なり、各曲線部位どうしの端部が結合しておらず、各々の曲線部位が独立している。その結果、吸収体３０には３個の凹部３１が形成されている。各凹部３１は、ターゲットテープ５０の横方向に延びている。また、各凹部３１は、ターゲットテープ５０の縦方向の同方向に向けて頂部を有するように配置されている。具体的には、おむつの腹側部の端部側に向けて頂部を有するように配置されている。３個の凹部３１のうち、中央に位置する凹部３１は、ターゲットテープ５０の横中心線ＬHよりも、おむつの腹側部の端部側に偏倚して位置している。中央に位置する凹部３１を挟む左右の凹部３１は、横中心線ＬHを跨ぐように位置している。その結果、各凹部３１の形状と、３個の凹部３１の全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００３８】
図８に示す実施形態では、吸収体３０の幅方向の略全域にわたって、該幅方向に延びるアーチ形状の凹部３１ａが形成されている。このアーチ形状の凹部３１ａは、その頂部をおむつの腹側部の端部側に向けている。頂部は、ターゲットテープ５０の横中心線ＬHよりも、おむつの腹側部の端部側に偏倚して位置している。２つの端部は、横中心線ＬHよりも、おむつの股下部側に偏倚して位置している。更に本実施形態では、アーチ形状の凹部３１ａに加えて、楕円形の小凹部３１ｂが３個形成されている。楕円形の小凹部３１ｂは、その長軸が、おむつの長手方向と一致するように配置されている。各小凹部３１ｂの中心の位置は、おむつの幅方向に関して同位置にある。３個の小凹部３１ｂのうち、中心に位置する小凹部３１ｂは、その長軸が、ターゲットテープ５０の縦中心線ＬV上に位置している。左右に位置する一対の小凹部３１ｂは、アーチ形状の凹部３１ａの端部近傍の部位と重なるように配置されている。中心に位置する小凹部３１ｂと、アーチ形状の凹部３１ａとの重なり合いはない。凹部３１ａ，３１ｂの形状と、凹部３１ａ，３１ｂの全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００３９】
以上、図４ないし図８に示す実施形態では、ターゲットテープ５０の横方向に延び、かつ該ターケットテープ５０の縦方向に向けて頂部を有するアーチ形状の凹部が少なくとも一個形成されていた。これに対して、図９（ａ）及び（ｂ）に示す実施形態は、これまでの実施形態と異なり、凹部が直線状のものになっている。図９（ａ）に示す実施形態では、ターゲットテープ５０の縦中心線ＬVの近傍に、縦中心線ＬVに対して線対称に、一対の直線状の第１凹部３１ａが形成されている。第１凹部３１ａは、ターゲットテープ５０の横中心線ＬHと平行に延びている。また第１凹部３１ａは、横中心線ＬHの位置よりも若干おむつの股下部側に偏倚している。また本実施形態では、吸収体３０の左右の側部域に、縦中心線ＬVに対して線対称に、三対の直線状の第２凹部３１ｂが形成されている。各第２凹部３１ｂは、ターゲットテープ５０の横中心線ＬHと平行に延びている。また、各第２凹部３１ｂは、横中心線ＬHの位置よりも、おむつの股下部側に偏倚している。更に本実施形態では、第１凹部３１ａと第２凹部３１ｂとの間に、ターゲットテープ５０の縦方向に延びる一対の直線状の第３凹部３１ｃが形成されている。第３凹部３１ｃは、ターゲットテープ５０の縦方向の略全域にわたって、横中心線ＬHを横切るように形成されている。
【００４０】
図９（ｂ）に示す実施形態では、吸収体のうちターゲットテープ５０と重なる領域のほぼ全体にわたって略Ｘ字状の第１凹部３１ａが形成されている。略Ｘ字状の第１凹部３１ａにおける交点は、ターゲットテープ５０の縦中心線ＬV及び横中心線ＬHの交点の位置とほぼ一致している。第１凹部３１ａは、横中心線ＬHよりも股下部側に位置する一対の下部直線部位３１１ａ，３１２ａと、横中心線ＬHよりもおむつの腹側部の端部側に位置する一対の上部直線部位３１３ａ，３１４ａとから構成されている。下部直線部位３１１ａ，３１２ａは、上部直線部位３１３ａ，３１４ａよりも長くなっている。その結果、第１凹部３１は、横中心線ＬHに対して非対称形になっている。また本実施形態では、上部直線部位３１３ａと下部直線部位３１１ａとの間、及び上部直線部位３１４ａと下部直線部位３１２ａとの間に、直線状の第２凹部３１ｂ及び第３凹部３１ｃが形成されている。第２凹部３１ｂは、上部直線部位３１３ａ，３１４ａに沿って形成されている。一方、第３凹部３１ｃは、下部直線部位３１１ａ，３１２ａに沿って形成されている。第２凹部３１ｂは、ターゲットテープ５０の横中心線ＬHよりも、おむつの腹側部の端部側に位置している。一方、第３凹部３１ｃは、ターゲットテープ５０の横中心線ＬHよりも、股下部側に位置している。また、第３凹部３１ｃは、第２凹部３１ｂよりも長くなっている。更に、第３凹部３１ｃは、第２凹部３１ｂよりも、ターゲットテープ５０の横方向の外方寄りに位置している。
【００４１】
以上のとおり、図９（ａ）及び（ｂ）に示す実施形態においても、これまで説明してきた実施形態と同様に、各凹部の形状と、複数個の該凹部の全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００４２】
図１０に示す実施形態では、ターゲットテープ５０の縦中心線ＬＶに沿って、該ターゲットテープ５０の縦方向に延びる所定幅の第１凹部３１ａが形成されている。第１凹部３１ａは、複数の小凹部の集合体から構成されている。第１凹部３１ａは、ターゲットテープ５０の縦方向の略全域にわたって形成されている。また本実施形態では、ターゲットテープ５０の左右の側部域に、該ターゲットテープ５０の縦方向に延びる所定幅の一対の第２凹部３１ｂが形成されている。第２凹部３１ｂは、第１凹部３１ａと同様に、複数の小凹部の集合体から構成されている。第２凹部３１ｂは、ターゲットテープ５０の横中心線ＬHの位置を一端とし、他端がターゲットテープ５０の下端縁に位置している。更に、本実施形態では、第１凹部３１ａと第２凹部３１ｂとの間に、ターゲットテープ５０の横方向に延びる直線状の第３凹部３１ｃが一対設けられている。第３凹部３１ｃは、ターゲットテープ５０の横中心線ＬH上に位置している。このように、本実施形態においても、各凹部３１ａ〜３１ｃの形状と、複数個の該凹部３１ａ〜３１ｃの全体で構成される配置パターンとからなる凹部デザインに着目したときに、該凹部デザインは、ターゲットテープ５０の縦中心線ＬVに対して線対称形となっている。かつターゲットテープ５０の横中心線ＬHに対して非対称形となっている。
【００４３】
以上、本発明をその好ましい実施形態に基づき説明したが、本発明は前記実施形態に制限されない。例えば、各実施形態における凹部の形状や配置位置を、適宜、相互に組み合わせることができる。
【００４４】
また、前記実施形態においては、吸収体３０におけるターゲットテープ５０と重なる領域にのみ凹部が形成されていたが、ファスニングテープの適正な取り付けとは別の目的をもって、ターゲットテープ５０と重ならない位置にも凹部を形成することは何ら妨げられない。
【符号の説明】
【００４５】
１  使い捨ておむつ
１０  表面シート
２０  裏面シート
３０  吸収体
３１  凹部
４０  ファスニングテープ
５０  ターゲットテープ
ＬV  縦中心線
ＬH  横中心線
【図１】
0005912390.tif 000002
【図２】
0005912390.tif 000003
【図３】
0005912390.tif 000004
【図４】
0005912390.tif 000005
【図５】
0005912390.tif 000006
【図６】
0005912390.tif 000007
【図７】
0005912390.tif 000008
【図８】
0005912390.tif 000009
【図９】
0005912390.tif 000010
【図１０】
0005912390.tif 000011